(57)【要約】      （修正有）【課題】突起、スタッド、または不連続なリブを有する鉛蓄電池セパレーターにおいて、過充電により負極板で水素が発生し、セパレーターが押されて負極板から離れ、ガスポケットが形成されたり、セパレーターの裏面ウェブが押されて正極板と接触し、裏面ウェブが酸化することにより、孔が形成される事などを防止するセパレーターを提供する。【解決手段】蓄電池用のセパレーター１０は、裏面ウェブ１２と、この裏面ウェブ上にある狭間胸壁状のリブ１４とを有する微孔質膜である。【選択図】図１
2010177198.tif 000002
【特許請求の範囲】
【請求項１】
裏面ウェブと、前記裏面ウェブ上にある狭間胸壁状のリブとを有する膜を含む電池セパレーター。
【請求項２】
前記リブが直線状または波状のいずれかである請求項１に記載の電池セパレーター。
【請求項３】
前記狭間胸壁状のリブがソリッド部分を有する請求項１に記載の電池セパレーター。
【請求項４】
前記ソリッド部分が角錐台形状を有する請求項３に記載の電池セパレーター。
【請求項５】
前記膜が、ポリオレフィン、ゴム、ポリ塩化ビニル、フェノール系材料、セルロース系材料、またはそれらの組み合わせからなる群より選択される請求項１に記載の電池セパレーター。
【請求項６】
前記膜がポリオレフィン材料である請求項５に記載の電池セパレーター。
【請求項７】
請求項１の電池セパレーターを有するように製造された蓄電池。
【請求項８】
裏面ウェブと、前記裏面ウェブ上にあるリブとを有する膜を含み、前記リブが、少なくとも２つのソリッド部分と、それらの間にある低い壁とを有する電池セパレーター。
【請求項９】
前記リブが直線状または波状のいずれかである請求項８に記載の電池。
【請求項１０】
前記ソリッド部分が角錐台形状を有する請求項８に記載の電池セパレーター。
【請求項１１】
前記膜が、ポリオレフィン、ゴム、ポリ塩化ビニル、フェノール系材料、セルロース系材料、またはそれらの組み合わせからなる群より選択される請求項８に記載の電池セパレーター。
【請求項１２】
前記膜がポリオレフィン材料である請求項８の電池セパレーター。
【請求項１３】
請求項８の電池セパレーターを有するように製造した蓄電池。
【発明の詳細な説明】
【技術分野】
【０００１】
本発明は蓄電池用のセパレーターに関する。
【背景技術】
【０００２】
電池セパレーターは、電池の正極と負極とを分離するために使用され、典型的には、イオンがセパレーターを通過して正極および負極に到達できるように微孔質である。自動車または工業用のいずれかの電池である鉛蓄電池では、電池セパレーターは、裏面ウェブと、裏面ウェブ上にある複数のリブとを有する微孔質ポリエチレンセパレーターが典型的である。Ｂｅｓｅｎｈａｒｄ，Ｊ．Ｏ．，Ｅｄｉｔｏｒ，Ｈａｎｄｂｏｏｋ  ｏｆ  Ｂａｔｔｅｒｙ  Ｍａｔｅｒｉａｌｓ，Ｗｉｌｅｙ−ＶＣＨ  Ｖｅｒｌａｇ  ＧｍｂＨ，Ｗｅｉｎｈｅｉｍ，Ｇｅｒｍａｎｙ（１９９９），Ｃｈａｐｔｅｒ  ９，ｐｐ．２４５−２９２を参照されたい。自動車用電池のセパレーターは、典型的には連続的な長さで製造されて巻き取られ、続いて折りたたまれ、その端部に沿って封止することで、電池の電極を収容する袋が形成される。工業用（動力用）電池のセパレーターは、典型的には電極板とほぼ同じ寸法に切断される。
【０００３】
米国特許第３，９１７，７７２号明細書には、プラスチック材料から鉛蓄電池セパレーターシートを製造する方法が記載されている。この方法では、このシートがカレンダー成形されることで、リブおよび／または突起が形成される。米国特許第３，９１７，７７２号明細書の図２および３を参照すると、リブ２９および３１がソリッドな断面を有する。米国特許第３，９１７，７７２号明細書の図４および５を参照すると、カレンダーロール１２および１３中の丸められたピンによって不連続な突起４５および４９が形成されている。米国特許第４，０００，３５２号明細書には、裏面ウェブ上にある不連続なセパレーター突起の断続的なパターンを特徴とする鉛蓄電池セパレーターが示されている。各突起は円形または楕円形である。米国特許第５，５５８，９５２号明細書には、中間部を連結する壁がない複数の不連続なリブを有する鉛蓄電池セパレーターが示されている。米国特許第５，７１６，７３４号明細書には、それぞれの断面がソリッドな複数のリブを有する鉛蓄電池セパレーターが示されている。国際公開第０１／１３４４２号パンフレットには、少なくとも１つの垂直のリブと複数のスタッドとを有する鉛蓄電池セパレーターが示されている。これらのスタッドは円錐台形状であり、それらの底面は裏面ウェブと面一となる。これらのリブはソリッドな断面を有する。
【発明の概要】
【発明が解決しようとする課題】
【０００４】
突起、スタッド、または不連続なリブを有する上述の従来技術はその技術分野を進歩させてきたが、ガスポケットの形成の防止が不十分であるため、これらは不十分である。典型的な鉛蓄電池セパレーターでは、セパレーターは、リブが形成された面（すなわち、一次リブを有する）と、裏面（すなわちリブなし、あるいは複数の小型または二次リブ）とを有する。負極（板）は裏面と隣接して配置され、正極（板）はリブが形成された面のリブ上に配置される。電池が十分に充電され、電流が連続して流されると（すなわち過充電されると）、負極板で水素が発生し、正極板で酸素が発生する。負極板で水素が発生すると、セパレーターが押されて負極板から離れ、それによってガスチャネルまたはガスポケットが形成されることがある。チャネルによって水素ガスを放出させることができるので良いことであるが、一方ポケットは気体の排出を妨げ、ポケットが電池中で抵抗無限大の領域となるので、これは悪いことである。さらに、セパレーターの裏面ウェブが押されて正極板と接触する場合には、裏面ウェブが酸化することがあり、孔が形成されることがある。
【０００５】
したがって、これらの電池セパレーターの改良が必要とされている。
【課題を解決するための手段】
【０００６】
蓄電池用のセパレーターは、裏面ウェブと、裏面ウェブ上にある狭間胸壁状のリブ（battlemented rib）とを有する微孔質膜を含む。
【０００７】
本発明を説明する目的で、現時点での好ましい形態である図面を示すが、図示される厳密な配置および手段に本発明が限定されるものではないことを理解されたい。
【図面の簡単な説明】
【０００８】
【図１】本発明に従って作製されたセパレーターを示す斜視図である。
【図２】図１に示されたセパレーターの側面図である。
【図３】図１に示されたセパレーターの平面図である。
【図４】本発明の別の実施形態の平面図である。
【図５】本発明のさらに別の実施形態の平面図である。
【図６】図５に示された実施形態の断面線６−６に沿った断面図である。
【発明を実施するための形態】
【０００９】
図面を参照すると、同様の符号が同様の構成要素を示しており、図１には電池セパレーター１０が示されている。セパレーター１０は、裏面ウェブ１２および狭間胸壁状のリブ１４を有する。狭間胸壁状のリブ１４は、ソリッド部分１６と、開放部分１８と、この開放部分１８の下でソリッド部分１６の間にありソリッド部分を連結する低い壁２０とを有する。
【００１０】
セパレーター１０は微孔質膜である。セパレーター１０は、あらゆる好適な材料、たとえば、ポリオレフィン、ゴム、ポリ塩化ビニル（ＰＶＣ）、フェノール系材料、セルロース系材料、またはそれらの組み合わせから製造することができる。セパレーター１０は好ましくはポリオレフィンから製造され、最も好ましくは充填剤が添加されたポリオレフィンから製造される。たとえば、米国特許第３，３５１，４９５号明細書、第３，９１７，７７２号明細書、および第５，２３０，８４３号明細書を参照することができ、これらそれぞれの記載内容は本明細書の一部をなすものとする。充填剤が添加されたポリオレフィンのセパレーターは、ポリエチレンと、充填剤と、プロセスオイルとの混合物から製造されることが好ましい。これらの成分が混合され、シートに押し出され、カレンダー成形され、浸出によってオイルが除去され、それによって最終的なセパレーター（たとえば、ロール製品またはある長さに切断されたもの）が形成される。ポリエチレンは、超高分子量ポリエチレン（ＵＨＭＷＰＥ）、あるいはＵＨＭＷＰＥと、より低分子量のポリオレフィン（たとえば、高密度ポリエチレン（ＨＤＰＥ））またはゴムなどの他の材料との混合物が好ましい。充填剤は沈降シリカが好ましい。上記混合物は、周知のように加工助剤も含有することができる。典型的には、細孔径が１μｍ未満であり、孔隙率が約６０％であり、電気抵抗が約５０〜２００ｍΩｃｍ2である。上述は、本発明に限定されるものではなく、蓄電池用の典型的なセパレーターの単なる例である。Ｂｅｓｅｎｈａｒｄの文献の同じ箇所を参照することができ、この記載内容は本明細書の一部をなすものとする。
【００１１】
図２においては、あるリブのソリッド部分１６が第２のリブの開放部分１８の位置と一致するように、狭間胸壁状のリブ１４の位置がずらされることが好ましい。図３には、ソリッド部分１６の好ましい形状が示されている。好ましくは、各ソリッド部分１６は角錐台形状である。本発明はこれに限定されるものではなく、あらゆる他の形状を使用できることを理解されたい。
【００１２】
本発明を典型的な市販製品と比較すると、セパレーター全体の質量が減少し、電池内の利用可能な酸の体積が増大し、セパレーターの製造速度が増加する。さらに、裏面ウェブと負極との間に形成されるガスポケットが縮小されるか、またはなくなる。リブ中に開放部分を形成することによって、セパレーターの全体の質量が減少する。セパレーターの質量が減少することで、セパレーターの製造コストを削減することができる。また、狭間胸壁状のリブ１４中に開放空間を形成することによって、電池中に存在する酸量を増加させることができる。より広い表面積を使用することができ、そのため膜を微孔質にするために必要なプロセスオイルの浸出に必要な時間が短縮されるので、製造速度を増加させることができる。最後に、低い壁２０が狭間胸壁状のリブ１４のソリッド部分１６の間にあることによって、裏面ウェブ１２の強度が増加し、このためセパレーターが湾曲して、ガスを放出するための垂直方向のチャネルを優先的に形成するものの、不連続なリブ中の垂直な空間では形成されやすいガスポケットは、狭間胸壁状のリブの開放空間中には形成されない。
【００１３】
図４には、別の実施形態のセパレーター３０が示されている。セパレーター３０は、裏面ウェブ３２と、その上にある複数の狭間胸壁状のリブ３４とを含む。狭間胸壁状のリブ３４は、ソリッド部分３６と、ソリッド部分３６の間の開放部分３８と、開放空間３８の下でソリッド部分３６の間にある低い壁４０とを含む。この実施形態では、セパレーター３０は、非直線状、波形、または曲線状のリブ３４を有する。
【００１４】
図５および６を参照すると、電池セパレーター５０が示されている。セパレーター５０は、裏面ウェブ５２と、中央部分５４と、側端部分５６とを含む。好ましくは、中央部分５４のリブ５８（すなわち、一次リブ）は、前述の狭間胸壁状のリブである。側端部分５６のリブ６０は、狭間胸壁状のリブであってもよいが、このことは必ずしも必要ではない。ウェブ５２の裏側のリブ６２は、狭間胸壁状であってもよいが、このことは必ずしも必要ではない。
【００１５】
本発明は、本発明の意図および本質的な特性から逸脱せずに具体化することができ、したがって、この明細書よりはむしろ、本発明の範囲を示している添付の特許請求の範囲を参照すべきである。
【図１】
2010177198.tif 000003
【図２】
2010177198.tif 000004
【図３】
2010177198.tif 000005
【図４】
2010177198.tif 000006
【図５】
2010177198.tif 000007
【図６】
2010177198.tif 000008
【手続補正書】
【提出日】平成22年3月23日(2010.3.23)
【手続補正１】
【補正対象書類名】特許請求の範囲
【補正対象項目名】全文
【補正方法】変更
【補正の内容】
【特許請求の範囲】
【請求項１】
裏面ウェブを有する膜を含む電池セパレーターであって、前記裏面ウェブの同じ面上に少なくとも２つの列を形成する狭間胸壁状のリブを有し、前記狭間胸壁状のリブは、前記裏面ウェブからカレンダー成形されることを特徴とする電池セパレーター。
【請求項２】
前記リブが直線状または波状のいずれかである請求項１に記載の電池セパレーター。
【請求項３】
前記狭間胸壁状の各リブが：
少なくとも２つのソリッド部分と；
前記各ソリッド部分の間に位置する開放部分と；
前記開放部分の下で、前記各ソリッド部分の間にあり、前記各ソリッド部分を連結する低い壁とを有し；
１つのリブの前記ソリッド部分が、隣接するリブの前記開放部分の位置と一致するように、前記狭間胸壁状の各リブの位置が互いにずらされていることを特徴とする、
請求項１に記載の電池セパレーター。
【請求項４】
前記ソリッド部分が角錐台形状を有する請求項３に記載の電池セパレーター。
【請求項５】
前記膜が、ポリオレフィン、ゴム、ポリ塩化ビニル、フェノール系材料、セルロース系材料、またはそれらの組み合わせからなる群より選択される請求項１に記載の電池セパレーター。
【請求項６】
前記膜がポリオレフィン材料である請求項５に記載の電池セパレーター。
【請求項７】
請求項１に記載の電池セパレーターを有するように製造された蓄電池。
【請求項８】
裏面ウェブを有する膜を含む電池セパレーターであって、前記裏面ウェブの同じ面上に少なくとも２つの列を形成する狭間胸壁状のリブを有し、前記各リブが、少なくとも２つのソリッド部分とそれらの間にある低い壁を有し、前記狭間胸壁状のリブが前記裏面ウェブからカレンダー成形されることを特徴とする電池セパレーター。
【請求項９】
前記リブが直線状または波状のいずれかである請求項８に記載の電池セパレーター。
【請求項１０】
前記ソリッド部分が角錐台形状を有する請求項８に記載の電池セパレーター。
【請求項１１】
前記膜が、ポリオレフィン、ゴム、ポリ塩化ビニル、フェノール系材料、セルロース系材料、またはそれらの組み合わせからなる群より選択される請求項８に記載の電池セパレーター。
【請求項１２】
前記膜がポリオレフィン材料である請求項８に記載の電池セパレーター。
【請求項１３】
請求項８に記載の電池セパレーターを有するように製造した蓄電池。
【請求項１４】
前記裏面ウェブが：
中央部分と少なくとも１つの側端部分と；
前記中央部分において、前記裏面ウェブの表側にある、第１の狭間胸壁状のリブの少なくとも２つの列と；
前記中央部分において、前記裏面ウェブの裏側にある、第２の狭間胸壁状のリブの少なくとも２つの列と；および
前記側端部分において、前記裏面ウェブの表側にある、第３の狭間胸壁状のリブの少なくとも２つの列と、を有し、
前記狭間胸壁状の各リブが：
少なくとも２つのソリッド部分と；
前記各ソリッド部分の間に位置する開放部分と；
前記開放部分の下で、前記各ソリッド部分の間にあり、前記各ソリッド部分を連結する低い壁とを有し；
１つのリブの前記ソリッド部分が、隣接するリブの前記開放部分の位置と一致するように、前記狭間胸壁状の各リブの位置が互いにずらされていることを特徴とする、
、請求項８に記載の電池セパレーター。
【請求項１５】
前記第１の狭間胸壁状のリブが、前記第３の狭間胸壁状のリブより大きく、前記第３の狭間胸壁状のリブが、前記第２の狭間胸壁状のリブより大きいことを特徴とする、請求項１４に記載の電池セパレーター。